(57)【要約】【課題】光学ホイールの位置調整を容易とする。【解決手段】光学ホイール１０１は、円盤状に形成され、外周に径方向外方に突出する凸部１０５又は凸部と隣り合う凹部が形成される。この凸部１０５又は凸部と隣り合う凹部は、位置調整用スペーサ１０６が着脱自在とされている。光学ホイール１０１は、ホイールモータ１１０と接続され、回転駆動される。ホイールモータ１１０の固定部とされるブラケット１１２には、光学ホイール１０１を移動させて位置調整を行う位置調整部が設けられる。位置調整用スペーサ１０６は、光学ホイール１０１と同心の円弧形状とされる当接面１０６ａと、凸部１０５と係合する凹部１０６ｂが形成されている。光学ホイール１０１の位置調整は、位置調整用スペーサ１０６の当接面１０６ａと基準面１０７ａを当接させて行われる。【選択図】  図６
2016048333.tif 000002
【特許請求の範囲】
【請求項１】
円盤状に形成され、外周から径方向外方に突出する凸部を有し、該凸部又は該凸部と隣り合う凹部は位置調整用スペーサが着脱自在とされる光学ホイールと、
前記光学ホイールと接続し、前記光学ホイールを回転駆動するホイールモータと、
を備えることを特徴とする光学ホイール装置。
【請求項２】
前記ホイールモータと連結される連結部と、該連結部と連続して形成され、前記ホイールモータのモータ軸と平行な長軸を備えた長孔と、前記長孔を通り、固定部を取付面に固定するボルトと、を含む位置調整部を有し、前記ホイールモータを固定する前記固定部を備えることを特徴とする請求項１に記載の光学ホイール装置。
【請求項３】
前記凸部又は前記凹部は、対向して複数設けられることを特徴とする請求項１又は請求項２に記載の光学ホイール装置。
【請求項４】
前記位置調整用スペーサは、前記凸部と係合する凹部又は前記凹部と係合する凸部と、前記光学ホイールと同心の円弧形状とされ、前記光学ホイールの位置調整の際、前記光学ホイールの正面側に設置された基準面と当接される当接面と、を有することを特徴とする請求項１乃至請求項３の何れか記載の光学ホイール装置。
【請求項５】
前記凸部又は前記凹部は、外周を前記光学ホイールと同心の円弧形状に形成されるとともに、両端を円弧状の外周中点と、前記光学ホイールの回転中心とを結ぶ直線と平行な直線となるように形成されることを特徴とする請求項１乃至請求項４の何れか記載の光学ホイール装置。
【請求項６】
請求項１乃至請求項５の何れか記載の光学ホイール装置と、
半導体発光素子により構成され、励起光を出射する励起光照射装置と、
を有し、
前記光学ホイールは、励起光が照射されることにより蛍光光を発光する蛍光発光領域を有することを特徴とする光源装置。
【請求項７】
前記光学ホイールは、励起光が照射されることにより蛍光光を発光する蛍光発光領域と、前記励起光照射装置からの出射光を拡散透過させる拡散透過領域と、が円周方向に並設され、
前記蛍光発光領域は、前記蛍光光として緑色波長帯域光を発光し、
前記励起光照射装置は、前記半導体発光素子により青色波長帯域光を出射することを特徴とする請求項６に記載の光源装置。
【請求項８】
前記光学ホイールの前記凸部又は前記凹部に、前記位置調整用スペーサを嵌め込んだ際、前記位置調整用スペーサは、前記光学ホイールの回転中心に向かって延伸した扇形状であり、前記拡散透過領域の外周側と内周側とに跨って設けられていることを特徴とする請求項７に記載の光源装置。
【請求項９】
請求項６乃至請求項８の何れか一項に記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御手段と、
を有することを特徴とする投影装置。
【請求項１０】
光学ホイールに形成された凸部又は凹部に、位置調整用スペーサに形成された凹部又は凸部を嵌め込む工程と、
前記位置調整用スペーサが取り付けられた前記光学ホイールを、少なくとも一部が光学ケースと重なる位置まで回転する工程と、
前記位置調整用スペーサの一面側である当接面を前記光学ケースの基準面に当接させる工程と、
前記位置調整用スペーサが取り付けられた前記光学ホイールを、前記光学ケースと重ならない位置まで回転する工程と、
前記光学ホイールから前記位置調整用スペーサを取り外す工程と、
を含むことを特徴とする光学ホイール装置の位置調整方法。
【発明の詳細な説明】
【技術分野】
【０００１】
本発明は、光学ホイール装置と、この光学ホイール装置を備える光源装置及び投影装置、光学ホイール装置の位置調整方法に関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させるものである。
【０００３】
そして、この投影装置であるプロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、光源として複数のレーザダイオード等の半導体発光素子を用いるとともに、この半導体発光素子を励起光源とする蛍光板を備える投影装置が種々開発されている。
【０００４】
特許文献１に開示される投影装置は、赤色光源装置と、青色波長帯域光である励起光照射装置からの出射光が励起光として照射されて緑色波長帯域の蛍光光を発する蛍光発光領域及び励起光照射装置からの出射光を拡散透過させる拡散透過領域を有する光学ホイールを備える光学ホイール装置と、が配置されている。励起光照射装置は、出射光が光学ホイールの拡散透過領域を拡散透過されることにより、青色光源ともされている。
【０００５】
そして、この投影装置には、光学ホイールの正面側に、光学ホイールと対向して集光レンズ群が配置される。この集光レンズ群を介して、励起光が光学ホイールの蛍光発光領域に照射され、緑色波長帯域光の蛍光光が発せられる。この蛍光光は、集光レンズ群を介して、ダイクロイックミラー等により赤色波長帯域光及び青色波長帯域光と同一の光軸とされて表示素子まで導光される。また、拡散透過領域を拡散透過された青色波長帯域光は、集光レンズにより集光された後、反射ミラー等を介して、赤色波長帯域光及び緑色波長帯域光と同一の光軸とされて表示素子まで導光される。
【先行技術文献】
【特許文献】
【０００６】
【特許文献１】特開２０１１−１３３７８４号公報
【発明の概要】
【発明が解決しようとする課題】
【０００７】
蛍光発光領域が敷設された蛍光ホイール等の光学ホイールと、この光学ホイールと対向して配置される集光レンズ等の光学機器は、光を集光して光学ホイールに照射したり、光学ホイールからの光を集光したりする。このため、この光学ホイールの正面側の面と、これらの光学機器との位置関係が設計値と異なると、スクリーンに投影される投影光に色ムラや照度不足等の不具合を生じさせる。よって、光学ホイールを投影装置内に配置する際には、光学機器と光学ホイールの間に隙間ゲージを挿入して、光学機器と光学ホイールの間隔を測定しながら光学ホイール装置を投影装置の筐体に固定する作業を行っている。
【０００８】
しかしながら、光学機器と光学ホイールの間に隙間ゲージを挿入しながら光学ホイールの位置を調整する作業は、非常に手間が掛かる。さらに、光学ホイールに蛍光発光領域や反射面等の光学要素が設けられている場合には、隙間ゲージの挿入により、これらの光学要素に傷を付けるなどして破損してしまう恐れもある。
【０００９】
よって、本発明の目的は、光学ホイール位置調整作業の作業性を向上するとともに、光学要素の破損を低減させた光学ホイール装置及びこの光学ホイール装置を備える光源装置、投影装置、光学ホイール装置の位置調整方法を提供する。
【課題を解決するための手段】
【００１０】
本発明の光学ホイール装置は、円盤状に形成され、外周から径方向外方に突出する凸部を有し、該凸部又は該凸部と隣り合う凹部は位置調整用スペーサが着脱自在とされる光学ホイールと、前記光学ホイールと接続し、前記光学ホイールを回転駆動するホイールモータと、を備えることを特徴とする。
【００１１】
本発明の光源装置は、本発明に係る上述の光学ホイール装置と、半導体発光素子により構成され、励起光を出射する励起光照射装置と、を有し、前記光学ホイールは、励起光が照射されることにより蛍光光を発光する蛍光発光領域を有することを特徴とする。
【００１２】
本発明の投影装置は、本発明に係る上述の光源装置と、前記光源装置からの光源光が照射され、画像光を形成する表示素子と、前記表示素子から出射された前記画像光をスクリーンに投影する投影側光学系と、前記表示素子と、前記光源装置を制御する投影装置制御手段と、を有することを特徴とする。
【００１３】
本発明の光学ホイール装置の位置調整方法は、光学ホイールに形成された凸部又は凹部に、位置調整用スペーサに形成された凹部又は凸部を嵌め込む工程と、前記位置調整用スペーサが取り付けられた前記光学ホイールを、少なくとも一部が光学ケースと重なる位置まで回転する工程と、前記位置調整用スペーサの一面側である当接面を前記光学ケースの基準面に当接させる工程と、前記位置調整用スペーサが取り付けられた前記光学ホイールを、前記光学ケースと重ならない位置まで回転する工程と、前記光学ホイールから前記位置調整用スペーサを取り外す工程と、を含むことを特徴とする。
【発明の効果】
【００１４】
本発明によれば、光学ホイール装置の配置を容易に行うことができるので、光学ホイール装置の配置の作業性が向上し、さらに、光学ホイールに備えられる光学要素の破損が低減された光学ホイール装置及びこの光学ホイール装置を備えた光源装置及び投影装置、光学ホイール装置の位置調整方法を提供することができる。
【図面の簡単な説明】
【００１５】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る光学ホイールの正面図である。
【図５】本発明の実施形態に係る位置調整用スペーサであり、（ａ）は正面図であり、（ｂ）は側面図である。
【図６】本発明の実施形態に係る光学ホイールに位置調整用スペーサが装着された様子を示す正面図である。
【図７】本発明の実施形態に係る光学ホイール装置の組み付け状態を示す平面図である。
【図８】本発明の実施形態に係る他の光学ホイールを示す正面図である。
【発明を実施するための形態】
【００１６】
以下、本発明の実施の形態について図を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１７】
そして、投影装置１０は、図１に示すように、略直方体形状であって、投影装置１０の筐体の前方の側板とされる正面パネル１２の側方に投影口を覆うレンズカバー１９を有するとともに、この正面パネル１２には複数の排気孔１７を設けている。さらに、図示しないがリモートコントローラからの制御信号を受信するＩｒ受信部を備えている。
【００１８】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１９】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５や正面パネル１２には、各々複数の排気孔１７が形成されている。また、左側パネル１５の背面パネル近傍の隅部や背面パネルには、吸気孔１８も形成されている。
【００２０】
次に、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００２１】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００２２】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２３】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２４】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものであり、光源装置６０から出射された光線束を後述の光源側光学系を介して表示素子５１に照射することにより、表示素子５１の反射光で光像を形成し、投影側光学系を介して図示しないスクリーンに画像を投影表示する。なお、この投影側光学系の可動レンズ群２３５は、レンズモータ４５によりズーム調整やフォーカス調整のための駆動が行われる。
【００２５】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２６】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２７】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２８】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２９】
また、制御部３８は、光源制御手段としての光源制御回路４１を制御しており、この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００３０】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００３１】
次に、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えてなる。また、投影装置１０は、制御回路基板２４１の側方、つまり、投影装置１０筐体の略中央部分に光源装置６０を備えている。さらに、投影装置１０は、光源装置６０と左側パネル１５との間に、光源側光学系１７０や投影側光学系２２０が配置されている。
【００３２】
光源装置６０は、赤色波長帯域光の光源とされる赤色光源装置１２０と、青色波長帯域光の光源とされる青色光源装置であって、励起光源ともされる励起光照射装置７０と、緑色波長帯域光の光源とされる緑色光源装置８０と、を備える。緑色光源装置８０は、励起光照射装置７０と、光学ホイール装置１００とにより構成される。そして、光源装置６０には、赤、緑、青の各色波長帯域光を導光し、出射する導光光学系１４０が配置されている。導光光学系１４０は、各色光源装置から出射される各色波長帯域光をライトトンネル１７５の入射口に集光する。
【００３３】
緑色光源装置８０を構成する励起光源である励起光照射装置７０は、投影装置１０筐体の左右方向における略中央部分であって背面パネル１３近傍に配置される。そして、励起光照射装置７０は、背面パネル１３と光軸が平行になるよう配置された複数の半導体発光素子である青色レーザダイオード７１から成る光源群、各青色レーザダイオード７１からの出射光の光軸を正面パネル１２方向に９０度変換する反射ミラー群７５、反射ミラー群７５で反射した各青色レーザダイオード７１からの出射光を集光する集光レンズ７８、及び、青色レーザダイオード７１と右側パネル１４との間に配置されたヒートシンク８１等を備える。
【００３４】
光源群は、複数の青色レーザダイオード７１がマトリクス状に配列されて成る。また、各青色レーザダイオード７１の光軸上には、各青色レーザダイオード７１からの各出射光の指向性を高めるように各々平行光に変換するコリメータレンズ７３が夫々配置されている。また、反射ミラー群７５は、複数の反射ミラーが階段状に配列されてミラー基板７６と一体化されて位置調整を行って生成され、青色レーザダイオード７１から出射される光線束の断面積を一方向に縮小して集光レンズ７８に出射する。
【００３５】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と背面パネル１３との間にも冷却ファン２６１が配置されており、この冷却ファン２６１によって反射ミラー群７５や集光レンズ７８が冷却される。
【００３６】
赤色光源装置１２０には、青色レーザダイオード７１と光軸が平行となるように配置された赤色光源１２１と、赤色光源１２１からの出射光を集光する集光レンズ群１２５と、が備えられる。この赤色光源１２１は、赤色波長帯域の光を発する半導体発光素子である赤色発光ダイオードである。そして、赤色光源装置１２０は、赤色光源装置１２０が出射する赤色波長帯域光の光軸が励起光照射装置７０から出射される青色波長帯域光及び光学ホイール１０１から出射される緑色波長帯域光の光軸と交差するように配置されている。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１及びヒートシンク１３０によって赤色光源１２１が冷却される。
【００３７】
光学ホイール装置１００は、正面パネル１２と平行となるように、つまり、励起光照射装置７０からの出射光の光軸と直交するように配置された光学ホイール１０１と、この光学ホイール１０１を回転駆動するホイールモータ１１０と、励起光照射装置７０から出射される励起光の光線束を光学ホイール１０１に集光するとともに光学ホイール１０１から背面パネル１３方向に出射される光線束を集光する集光レンズ群１０７と、光学ホイール１０１から正面パネル１２方向に出射される光線束を集光する集光レンズ１１５と、を備える。なお、ホイールモータ１１０と正面パネル１２との間には冷却ファン２６１が配置されており、この冷却ファン２６１によって光学ホイール装置１００等が冷却される。
【００３８】
光学ホイール１０１は、蛍光光が発光される蛍光発光領域と、入射光を拡散させる拡散透過領域とを有する。光学ホイール１０１の蛍光発光領域における蛍光体層は、緑色蛍光体により形成されている。よって、この蛍光体層に励起光照射装置７０からの励起光としての青色波長帯域光が照射されると、緑色蛍光体が励起され、この緑色蛍光体から全方位に緑色波長帯域光が出射される。蛍光発光された光線束は、光学ホイール１０１の正面側（換言すれば、背面パネル１３側）へ出射され、集光レンズ群１０７に入射する。一方、光学ホイール１０１における拡散透過領域に入射された励起光照射装置７０からの青色波長帯域光は、光学ホイール１０１を拡散透過され、光学ホイール１０１の背面側（換言すれば、正面パネル１２側）に配置された集光レンズ１１５に入射する。
【００３９】
そして、導光光学系１４０は、赤色、緑色、青色波長帯域の光線束を集光させる集光レンズや、各色波長帯域の光線束の光軸を変換して同一の光軸とさせる反射ミラー、ダイクロイックミラー等からなる。具体的には、導光光学系１４０には、励起光照射装置７０から出射される青色波長帯域光及び光学ホイール１０１から出射される緑色波長帯域光と、赤色光源装置１２０から出射される赤色波長帯域光とが交差する位置に、青色及び赤色波長帯域光を透過し、緑色波長帯域光を反射して、この緑色波長帯域光の光軸を左側パネル１５方向に９０度変換する第一ダイクロイックミラー１４１が配置されている。
【００４０】
また、光学ホイール１０１を拡散透過した青色波長帯域光の光軸上、つまり、集光レンズ１１５と正面パネル１２との間には、青色波長帯域光を反射して、この青色光の光軸を左側パネル１５方向に９０度変換する第一反射ミラー１４３が配置されている。第一反射ミラー１４３における左側パネル１５側には、集光レンズ１４６が配置され、さらにこの集光レンズ１４６の左側パネル１５側には、第二反射ミラー１４５が配置されている。第二反射ミラー１４５の背面パネル１３側には、集光レンズ１４７が配置されている。第二反射ミラー１４５は、第一反射ミラー１４３により反射され、集光レンズ１４６を介して入射される青色波長帯域光の光軸を背面パネル１３側に９０度変換する。
【００４１】
また、第一ダイクロイックミラー１４１の左側パネル１５側には、集光レンズ１４９が配置されている。さらに、集光レンズ１４９の左側パネル１５側であって、集光レンズ１４７の背面パネル１３側には、第二ダイクロイックミラー１４８が配置されている。第二ダイクロイックミラー１４８は、赤色波長帯域光及び緑色波長帯域光を反射して背面パネル１３側に９０度光軸を変換し、青色波長帯域光を透過させる。
【００４２】
第一ダイクロイックミラー１４１を透過した赤色波長帯域光の光軸は、第一ダイクロイックミラー１４１により反射された緑色波長帯域光の光軸と一致される。第一ダイクロイックミラー１４１を透過した赤色波長帯域光及び第一ダイクロイックミラー１４１により反射された緑色波長帯域光は、共に集光レンズ１４９に入射される。そして、集光レンズ１４９を透過した赤色及び緑色波長帯域光は、第二ダイクロイックミラー１４８により反射され、光源側光学系１７０の集光レンズ１７３を介してライトトンネル１７５の入射口に集光される。一方、集光レンズ１４７を透過した青色波長帯域光は、第二ダイクロイックミラー１４８を透過して、集光レンズ１７３を介してライトトンネル１７５の入射口に集光される。
【００４３】
光源側光学系１７０は、集光レンズ１７３，ライトトンネル１７５，集光レンズ１７８，光軸変換ミラー１８１，集光レンズ１８３，照射ミラー１８５，コンデンサレンズ１９５により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部ともされている。
【００４４】
ライトトンネル１７５の近傍には、ライトトンネル１７５の入射口に光源光を集光する集光レンズ１７３が配置されている。よって、赤色波長帯域光、緑色波長帯域光及び青色波長帯域光は、集光レンズ１７３により集光され、ライトトンネル１７５に入射される。ライトトンネル１７５に入射された光線束は、ライトトンネル１７５により均一な強度分布の光線束とされる。
【００４５】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４６】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００４７】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５，可動レンズ群２３５，固定レンズ群２２５により構成されている。固定レンズ群２２５は、固定鏡筒に内蔵される。可動レンズ群２３５は、可動鏡筒に内蔵され、レンズモータにより移動可能とされることにより、ズーム調整やフォーカス調整を可能としている。
【００４８】
このように投影装置１０を構成することで、光学ホイール１０１を回転させるとともに励起光照射装置７０及び赤色光源装置１２０から異なるタイミングで光を出射すると、赤色、緑色及び青色の各波長帯域光が導光光学系１４０を介して集光レンズ１７３及びライトトンネル１７５に順次入射され、さらに光源側光学系１７０を介して表示素子５１に入射されるため、投影装置１０の表示素子５１であるＤＭＤがデータに応じて各色の光を時分割表示することにより、スクリーンにカラー画像を投影することができる。
【００４９】
そして、光学ホイール装置１００を投影装置１０に配置する場合、光学ホイール１０１と集光レンズ群１０７との間隔が光学設計上重要になる。すなわち、光学ホイール１０１の正面側と集光レンズ群１０７との間隔は、スクリーンに適切な画像光が出射されるよう設計されている。そして、光学ホイール１０１と集光レンズ群１０７との間隔が設計値と僅かに異なれば、スクリーンに投影される画像に色ムラや照度ムラ等が発生する恐れがある。そこで、本実施形態においては、光学ホイール１０１に位置調整用スペーサを着脱自在に形成し、これにより光学ホイール１０１と集光レンズ群１０７との間隔が適切な間隔となるよう構成した。
【００５０】
よって、以下、この光学ホイール１０１の位置調整部について説明する。図４は、光学ホイール１０１の正面図である。光学ホイール１０１は円盤状に形成され、その基材１０２は銅やアルミニウム等から成る金属基材である。この基材１０２の正面側、すなわち、励起光照射装置７０側の表面には、環状の溝が形成される。そして、この溝の底部は、銀蒸着等によってミラー加工される。蛍光発光領域１０３は、このミラー加工された溝の表面に緑色蛍光体の層が敷設されてなる。さらに、拡散透過領域１０４は、基材１０２の切抜き透孔部に、表面をサンドブラスト等で微細凹凸を形成した透明基材が嵌入されてなる。このようにして、蛍光発光領域１０３と拡散透過領域１０４は円周方向に並設される。
【００５１】
さらに、光学ホイール１０１には、光学ホイール１０１の基材１０２の外周から径方向外方に突出する凸部１０５が対向して複数の四箇所に形成されている。凸部１０５の外周縁部である円弧状部１０５ａは、光学ホイール１０１と同心の円弧形状とされる。凸部１０５の両端二箇所の端部１０５ｂは、互いに平行な直線状として形成されている。さらに、端部１０５ｂは、凸部１０５の外周における円弧の中点Ｍと、光学ホイール１０１の回転中心Ｃとを結ぶ直線ＭＣと平行となるように形成されている。この凸部１０５には、後述の位置調整用スペーサが着脱自在とされている。
【００５２】
次に、図５に基づいて、位置調整用スペーサ１０６について説明する。図５（ａ）は、位置調整用スペーサ１０６の正面図であり、図５（ｂ）は、位置調整用スペーサ１０６の側面図である。位置調整用スペーサ１０６は、正面側及び背面側を平坦な当接面１０６ａとして形成されている。当接面１０６ａは、正面視において、光学ホイール１０１と同心の円弧形状に形成されている。位置調整用スペーサ１０６は、金属材料により形成される。当接面１０６ａは、正面側及び背面側ともに、表面粗さの値を低くして精度良く仕上げられている。
【００５３】
そして、位置調整用スペーサ１０６の内側の側面には、光学ホイール１０１の凸部１０５と対応させた形状とされる凹部１０６ｂが設けられている。凹部１０６ｂの両端の端部１０６ｃは、凸部１０５の端部１０５ｂに合わせて、互いに平行な直線状に形成される。端部１０６ｃ間の円弧状部１０６ｄは、凸部１０５の円弧状部１０５ａと合致するように形成されている。
【００５４】
なお、位置調整用スペーサ１０６の形状は、図５（ａ）、図５（ｂ）に示した形状に限らない。図４で示した光学ホイール１０１の凸部１０５に、位置調整用スペーサ１０６を嵌め込んだ際、位置調整用スペーサ１０６は、回転中心Ｃに向かって延伸した扇形状であって、拡散透過領域１０４の外周側と内周側とに跨って形成されていても良い。この際、光学ホイール１０１の断面形状を見ると、蛍光発光領域１０３は基材１０２に対して突出しているので、位置調整用スペーサ１０６は、蛍光発光領域１０３に架からないことが望ましい。
【００５５】
位置調整用スペーサ１０６の形状を、上述したような形状とすることで、図５（ａ）、図５（ｂ）で示した形状の場合と比較して、光学ホイール１０１の位置決め時に、前側光学ケース１０７ａの基準面１０７ｂと接触する位置調整用スペーサ１０６の当接面１０６ａの面積が増大するので、光学ホイール１０１のがたつきを抑制でき、尚一層、光学ホイール１０１の位置決めを正確に行うことができる。
【００５６】
本実施形態における位置調整用スペーサ１０６は、図６に示すように、光学ホイール１０１の凸部１０５に凹部１０６ｂが嵌め込まれて取り付けられる。ここで、位置調整用スペーサ１０６の凹部１０６ｂの端部１０６ｃ及び光学ホイール１０１の凸部１０５の端部１０５ｂは、前述の通り、直線ＭＣと平行である。これにより、凸部１０５と凹部１０６ｂは係合されるので、位置調整用スペーサ１０６は、光学ホイール１０１に着脱自在とされている。
【００５７】
次に、図７に基づいて、位置調整用スペーサ１０６が取り付けられた光学ホイール装置１００について説明する。図７は、光学ホイール装置１００の実際の取付状態を示した平面図である。
【００５８】
ホイールモータ１１０は、ホイールモータ１１０を支持するベースプレート１１０ａを有し、ベースプレート１１０ａは、ブラケット１１２と連結される。具体的には、ホイールモータ１１０の固定部とされるブラケット１１２の連結部１１２ａがホイールモータ１１０のベースプレート１１０ａと連結されている。そして、ブラケット１１２は、投影装置１０の筐体に固定される光源装置６０における後側光学ケース１１５ａの取付面に固定される。さらに、ブラケット１１２には、ホイールモータ１１０の駆動制御を司るモータ制御部１１３を支持する制御盤支持部１１２ｂが形成されている。なお、ブラケット１１２は、金属板を板金加工して形成される。
【００５９】
また、ブラケット１１２の連結部１１２ａの背面側には、ホイールモータ１１０を冷却するためのヒートシンク１１１が固定されている。ヒートシンク１１１は、金属板を略コ字状にして形成されている。ヒートシンク１１１と、ブラケット１１２の連結部１１２ａは、複数のボルト１１４により、両者合わせてホイールモータ１１０のベースプレート１１０ａに固定されている。
【００６０】
ブラケット１１２は、二箇所に前後に長い長孔１１２ｃ（換言すれば、ホイールモータのモータ軸と平行な長軸を備えた長孔１１２ｃ）が開けられている。そして、この長孔１１２ｃにボルト１０８が通される。このボルト１０８により、固定部であるブラケット１１２は、投影装置１０における取付面に螺合接続される。このボルト１０８を緩めれば、長孔１１２ｃの長さ分だけブラケット１１２を前後に動かすことができる。そして、ブラケット１１２は、連結部１１２ａでホイールモータ１１０と連結し、ホイールモータ１１０は、光学ホイール１０１と接続される。従って、ブラケット１１２を前後に移動させれば、光学ホイール１０１も前後に移動させることができる。
【００６１】
このようにして、固定部であるブラケット１１２に、位置調整部として、連結部１１２ａ、長孔１１２ｃ、ボルト１０８が形成されている。そして、この位置調整部により、光学ホイール１０１を前後に移動させて、光学ホイール１０１の位置を調整することができる。
【００６２】
光学ホイール１０１の正面側には、集光レンズ群１０７が収められる前側光学ケース１０７ａが配置されている。光学ホイール１０１の背面側には、集光レンズ１１５や第一反射ミラー１４３が収められる後側光学ケース１１５ａが配置されている。前側光学ケース１０７ａにおける光学ホイール１０１と対向する面には、光学ホイール１０１に取り付けられている位置調整用スペーサ１０６の当接面１０６ａと平行な面とされる基準面１０７ｂが設けられている。
【００６３】
前側光学ケース１０７ａと後側光学ケース１１５ａとは、共に投影装置１０の筐体に固定されている。そして、前側光学ケース１０７ａと後側光学ケース１１５ａとの間隔は、位置決め精度の観点から位置調整用スペーサ１０６の厚さより若干大きくなっている。光学ホイール１０１の正面側には、集光レンズ群１０７が収められる前側光学ケース１０７ａが配置されている。よって、蛍光発光領域１０３と、蛍光発光領域１０３に集光する集光レンズ群１０７と、の距離が重要になってくる。このため、位置調整用スペーサ１０６の当接面１０６ａを、集光レンズ群１０７が収められる前側光学ケース１０７ａの基準面１０７ｂに合わせる必要がある。
【００６４】
そして、位置調整用スペーサ１０６の当接面１０６ａが基準面１０７ｂと軽く当接した位置にて、集光レンズ群１０７と光学ホイール１０１の正面側の面が適切な距離となるよう、位置調整用スペーサ１０６の厚みが形成される。
【００６５】
なお、本実施形態において、光学ホイール１０１に凸部１０５が形成され、位置調整用スペーサ１０６に凹部１０６ｂが形成されているとしたが、これに限らない。これとは反対に、光学ホイール１０１の隣り合う凸部１０５間の凹部に勘合するように、位置調整用スペーサ１０６に凸部を形成しても良い。
【００６６】
光学ホイール１０１の位置調整は、以下のようにして行うことができる。
まず、光学ホイール１０１に形成された凸部１０５又は凸部１０５と隣接する凹部に、位置調整用スペーサ１０６に形成された凹部１０６ｂ又は凸部を嵌め込む。次に、位置調整用スペーサ１０６が取り付けられた光学ホイール１０１を、少なくとも位置調整用スペーサ１０６の一部が前側光学ケース１０７ａと重なる位置まで回転する。そして、位置調整用スペーサ１０６の一面側である当接面１０６ａを前側光学ケース１０７ａの基準面１０７ｂに当接させる。更に、位置調整用スペーサ１０６が取り付けられた光学ホイール１０１を、位置調整用スペーサ１０６が前側光学ケース１０７ａと重ならない位置まで回転する。最後に、光学ホイール１０１から位置調整用スペーサ１０６を取り外す。
【００６７】
具体的には、ボルト１０８を緩く締めておく。そして、光学ホイール１０１に取り付けられた位置調整用スペーサ１０６の当接面１０６ａと基準面１０７ｂが軽く当接するようにブラケット１１２を前後に移動させる。そして、当接面１０６ａと基準面１０７ｂが軽く当接する位置にてボルト１０８を締めてブラケット１１２を取付面に固定する。その後、光学ホイール１０１を手動で回転させて、位置調整用スペーサ１０６を光学ホイール１０１から取り外す。
【００６８】
このようにして光学ホイール１０１の位置調整を行うことができるので、隙間ゲージを光学ホイール１０１と基準面１０７ｂとの間に挿入して光学ホイール１０１を移動させて位置調整を行う場合に比べて、容易に、かつ、短時間に光学ホイール１０１の位置調整を行うことができる。さらに、蛍光発光領域１０３や拡散透過領域１０４の光学素子を隙間ゲージで破損してしまうこともない。
【００６９】
次に、本発明における他の実施形態について、図８に基づいて説明する。光学ホイール４０１は、前述の実施形態における光学ホイール１０１の凸部１０５を一か所にのみ設けた。これにより、凸部１０５に着脱可能な位置調整用スペーサ１０６を大型化することができる。光学ホイール４０１の外径が小さい場合には、小さな位置調整用スペーサ１０６では凸部１０５への着脱作業がし難い。しかしながら、本実施形態により位置調整用スペーサ１０６を大型化すれば、位置調整用スペーサ１０６の凸部１０５への着脱がし易くなる。
【００７０】
なお、光学ホイール４０１の回転バランスを取るためには、光学ホイール４０１の背面側であって、凸部１０５と対向する位置にバランサを設けたり、凸部１０５側近傍の光学ホイール４０１の基材１０２に開口した孔部を形成する等することができる。
【００７１】
以上、本発明の実施形態を説明したが、本発明は以上の実施形態に限られることはなく、種々変更を加えて実施することができる。例えば、凸部１０５は、対向して二箇所に形成したり、回転軸回りに１２０度毎に三箇所に形成したりすることもできる。また、光学ホイール１０１は、蛍光発光領域１０３のみを備えるようにして、青色波長帯域光を出射する青色光源を別途設けるようにしてもよい。
【００７２】
また、光学ホイール１０１の位置を調整する位置調整部は、ブラケット１１２をガイド溝等により前後に移動自在とする等、他の位置調整部とすることもできる。さらに、位置調整用スペーサ１０６は、金属材料により形成したが、硬質の樹脂材料とすることもできる。しかしながら、当接面１０６ａの平行度や位置調整用スペーサ１０６の剛性や耐久性の点を考慮すると、金属材料により形成する方が好適である。
【００７３】
以上の通り、本発明の実施形態における光学ホイール装置１００は、円盤状に形成され、外周から径方向外方に突出する凸部１０５を有する光学ホイール１０１が備えられる。そして、光学ホイール１０１は、ホイールモータ１１０と接続され回転駆動される。また、凸部１０５は、位置調整用スペーサ１０６が着脱自在とされている。
【００７４】
これにより、位置調整用スペーサ１０６を光学ホイール１０１に装着した状態で、光学ホイール１０１を移動させ、光学ホイール１０１の位置調整をすることができる。そして、光学ホイール１０１の位置調整後には位置調整用スペーサ１０６を取り外せばよいので、光学ホイール１０１の位置調整が容易となり、作業性を向上させることができる。
【００７５】
さらに、位置調整用スペーサ１０６を取り付ける凸部１０５は、光学ホイール１０１の外周から突出して形成されるので、隙間ゲージ等を光学ホイール１０１の正面側に当てて位置調整する場合に比べて、蛍光発光領域１０３や拡散透過領域１０４等の光学要素を傷つける等して破損してしまう恐れが低減される。
【００７６】
また、ホイールモータ１１０は固定部であるブラケット１１２に位置調整部が設けられる。そして、この位置調整部は、ホイールモータ１１０と連結される連結部１１２ａと、この連結部１１２ａと連続して形成され、モータ軸と平行な長軸を備えた長孔１１２ｃと、長孔１１２ｃを通り、取付面と螺合するボルト１０８と、により形成される。これにより、ボルト１０８の締緩により光学ホイール１０１の位置調整を行うことができるので、作業が容易で、かつ、位置調整部を構造簡単に構成することができる。
【００７７】
また、光学ホイール４０１の凸部１０５は、四か所に対向して複数設けた。これにより、光学ホイール１０１の回転時のバランスを均一なものとすることができる。よって、光学ホイール１０１から出射される蛍光光は、光学ホイール１０１がバランスよく回転されるので、均一で安定した出射光とすることができる。
【００７８】
また、位置調整用スペーサ１０６は、光学ホイール１０１の正面側に設置された基準面１０７ｂと当接するとともに光学ホイール１０１と同心の円弧形状とされる当接面１０６ａと、凸部１０５と係合する凹部１０６ｂを有する。これにより、凸部１０５と凹部１０６ｂの係合で円盤状の光学ホイール１０１に対して位置調整用スペーサ１０６を着脱することができるので、確実に位置調整用スペーサ１０６を光学ホイール１０１に取り付けることができる。
【００７９】
また、光学ホイール１０１の凸部１０５は、両端の端部１０５ｂを、凸部１０５の外周の中点Ｍと、光学ホイール１０１の回転中心Ｃとの直線ＭＣと平行な直線となるように形成した。これにより、位置調整用スペーサ１０６の取り付け作業は、単に位置調整用スペーサ１０６の凹部１０６ｂに凸部１０５を挿入すればよく、位置調整用スペーサ１０６の取り外しは、単に位置調整用スペーサ１０６を引き抜くだけでよい。よって、位置調整用スペーサ１０６の着脱操作を容易に行うことができる。
【００８０】
また、光源装置６０は、励起光照射装置７０からの励起光により蛍光光を発光する蛍光発光領域１０３と、励起光照射装置７０からの出射光を拡散透過させる拡散透過領域を有する光学ホイール１０１を備える光学ホイール装置１００を有する。これにより、蛍光発光領域を有する光学ホイール１０１の位置調整において、隙間ゲージ等を用いる必要がなくなるので、傷つきやすく剥がれやすい蛍光体層の破損を低減させることができる。よって、光源装置６０は、欠損の無い蛍光体層から適切な蛍光光を得ることができるので、明るい光源光を出射することができる。
【００８１】
また、光源装置６０は、緑色波長帯域光が発光される光学ホイール装置１００と、青色波長帯域光を出射する青色レーザダイオード７１により構成される励起光照射装置７０と、を有する。これにより、光学ホイール１０１の位置調整の作業性を向上させ、各色波長帯域光を出射可能に形成された光源装置６０を提供することができる。
【００８２】
また、投影装置１０は、光源装置６０と、表示素子５１と、投影側光学系２２０と、投影装置制御手段を有する。これにより、光学ホイール１０１の位置調整の作業性を向上させて製造コストを低減させ、光学ホイール１０１に備えられた光学要素の破損等を低減した投影装置１０を提供することができる。
【００８３】
なお、上記実施形態においては、位置調整用スペーサ１０６の当接面１０６ａを、前側光学ケース１０７ａの基準面に合わせるとしたが、この構成に限らない。位置調整用スペーサ１０６の当接面１０６ａとは反対側の面を、後側光学ケース１１５ａの基準面に合わせるような構成にしても良い。
【００８４】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８５】
以下に、本願出願の最初の特許請求の範囲に記載された発明を付記する。
［１］円盤状に形成され、外周から径方向外方に突出する凸部を有し、該凸部又は該凸部と隣り合う凹部は位置調整用スペーサが着脱自在とされる光学ホイールと、
前記光学ホイールと接続し、前記光学ホイールを回転駆動するホイールモータと、
を備えることを特徴とする光学ホイール装置。
［２］前記ホイールモータと連結される連結部と、該連結部と連続して形成され、前記ホイールモータのモータ軸と平行な長軸を備えた長孔と、前記長孔を通り、固定部を取付面に固定するボルトと、を含む位置調整部を有し、前記ホイールモータを固定する前記固定部を備えることを特徴とする前記［１］に記載の光学ホイール装置。
［３］前記凸部又は前記凹部は、対向して複数設けられることを特徴とする前記［１］又は前記［２］に記載の光学ホイール装置。
［４］前記位置調整用スペーサは、前記凸部と係合する凹部又は前記凹部と係合する凸部と、前記光学ホイールと同心の円弧形状とされ、前記光学ホイールの位置調整の際、前記光学ホイールの正面側に設置された基準面と当接される当接面と、を有することを特徴とする前記［１］乃至前記［３］の何れか記載の光学ホイール装置。
［５］前記凸部又は前記凹部は、外周を前記光学ホイールと同心の円弧形状に形成されるとともに、両端を円弧状の外周中点と、前記光学ホイールの回転中心とを結ぶ直線と平行な直線となるように形成されることを特徴とする前記［１］乃至前記［４］の何れか記載の光学ホイール装置。
［６］前記［１］乃至前記［５］の何れか記載の光学ホイール装置と、
半導体発光素子により構成され、励起光を出射する励起光照射装置と、
を有し、
前記光学ホイールは、励起光が照射されることにより蛍光光を発光する蛍光発光領域を有することを特徴とする光源装置。
［７］前記光学ホイールは、励起光が照射されることにより蛍光光を発光する蛍光発光領域と、前記励起光照射装置からの出射光を拡散透過させる拡散透過領域と、が円周方向に並設され、
前記蛍光発光領域は、前記蛍光光として緑色波長帯域光を発光し、
前記励起光照射装置は、前記半導体発光素子により青色波長帯域光を出射することを特徴とする前記［６］に記載の光源装置。
［８］前記光学ホイールの前記凸部又は前記凹部に、前記位置調整用スペーサを嵌め込んだ際、前記位置調整用スペーサは、前記光学ホイールの回転中心に向かって延伸した扇形状であり、前記拡散透過領域の外周側と内周側とに跨って設けられていることを特徴とする前記［７］に記載の光源装置。
［９］前記［６］乃至前記［８］の何れか一項に記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御手段と、
を有することを特徴とする投影装置。
［１０］光学ホイールに形成された凸部又は凹部に、位置調整用スペーサに形成された凹部又は凸部を嵌め込む工程と、
前記位置調整用スペーサが取り付けられた前記光学ホイールを、少なくとも一部が光学ケースと重なる位置まで回転する工程と、
前記位置調整用スペーサの一面側である当接面を前記光学ケースの基準面に当接させる工程と、
前記位置調整用スペーサが取り付けられた前記光学ホイールを、前記光学ケースと重ならない位置まで回転する工程と、
前記光学ホイールから前記位置調整用スペーサを取り外す工程と、
を含むことを特徴とする光学ホイール装置の位置調整方法。
【符号の説明】
【００８６】
１０    投影装置                      １１    上面パネル
１２    正面パネル                    １３    背面パネル
１４    右側パネル                    １５    左側パネル
１７    排気孔                        １８    吸気孔
１９    レンズカバー                  ２１    入出力コネクタ部
２２    入出力インターフェース        ２３    画像変換部
２４    表示エンコーダ                ２５    ビデオＲＡＭ
２６    表示駆動部                    ３１    画像圧縮／伸長部
３２    メモリカード                  ３５    Ｉｒ受信部
３６    Ｉｒ処理部                    ３７    キー／インジケータ部
３８    制御部                        ４１    光源制御回路
４３    冷却ファン駆動制御回路        ４５    レンズモータ
４７    音声処理部                    ４８    スピーカ
５１    表示素子                      ６０    光源装置
７０    励起光照射装置                ７１    青色レーザダイオード
７３    コリメータレンズ              ７５    反射ミラー群
７６    ミラー基板                    ７８    集光レンズ
８０    緑色光源装置                  ８１    ヒートシンク
１００    光学ホイール装置
１０１    光学ホイール                １０２    基材
１０３    蛍光発光領域                １０４    拡散透過領域
１０５    凸部                        １０５ａ  円弧状部
１０５ｂ  端部                        １０６    位置調整用スペーサ
１０６    調整用スペーサ              １０６ａ  当接面
１０６ｂ  凹部                        １０６ｃ  端部
１０６ｄ  円弧状部                    １０７    集光レンズ群
１０７ａ  前側光学ケース              １０７ｂ  基準面
１０８    ボルト（位置調整部）        １１０    ホイールモータ
１１０ａ  ベースプレート              １１１    ヒートシンク
１１２    ブラケット（固定部）        １１２ａ  連結部（位置調整部）
１１２ｂ  制御盤支持部                １１２ｃ  長孔（位置調整部）
１１３    モータ制御部                １１４    ボルト
１１５    集光レンズ                  １１５ａ  後側光学ケース
１２０    赤色光源装置
１２１    赤色光源                    １２５    集光レンズ群
１３０    ヒートシンク                １４０    導光光学系
１４１    第一ダイクロイックミラー    １４３    第一反射ミラー
１４５    第二反射ミラー              １４６    集光レンズ
１４７    集光レンズ                  １４８    第二ダイクロイックミラー
１４９    集光レンズ                  １７０    光源側光学系
１７３    集光レンズ                  １７５    ライトトンネル
１７８    集光レンズ                  １８１    光軸変換ミラー
１８３    集光レンズ                  １８５    照射ミラー
１９０    ヒートシンク                １９５    コンデンサレンズ
２２０    投影側光学系                ２２５    固定レンズ群
２３５    可動レンズ群                ２４１    制御回路基板
２６１    冷却ファン                  ４０１    光学ホイール
【図１】
2016048333.tif 000003
【図２】
2016048333.tif 000004
【図３】
2016048333.tif 000005
【図４】
2016048333.tif 000006
【図５】
2016048333.tif 000007
【図６】
2016048333.tif 000008
【図７】
2016048333.tif 000009
【図８】
2016048333.tif 000010